(57)【要約】      （修正有）【課題】閉空間である浴室空間の中にあって、露天風呂のような心地の良い入浴環境を入浴者に提供することができる浴室空調装置を提供すること。【解決手段】浴室空調装置は、浴槽側の入浴者に対して涼感を体感させ得る涼感運転モードを備えており、涼感運転モードにおいては、涼水ミストＣＭの噴出を行いつつ気流ＣＣを発生させることで、浴槽側の入浴者から気化熱を奪い続けることができるようにミストポンプ等の涼水ミスト噴出手段、循環ファンＣＦや換気ファンＶＦ等の気流発生手段を制御し、涼水ミストＣＭの噴出による浴室空間の湿度上昇を抑制するように構成されている。【選択図】図３
2009030836.tif 000002
【特許請求の範囲】
【請求項１】
浴室空間の空調を制御する浴室空調装置であって、
浴室空間に涼水ミストを噴出する涼水ミスト噴出手段と、
浴室空間内に気流を発生させる気流発生手段と、
前記ミスト噴出手段及び前記気流発生手段をそれぞれ制御する制御手段と、を備え、
前記制御手段は、浴槽側の入浴者に対して涼感を体感させ得る涼感運転モードを備えており、前記涼感運転モードにおいては、前記涼水ミスト噴出手段及び前記気流発生手段を制御し、前記涼水ミストの噴出による前記浴室空間の湿度上昇を抑制するように構成されている浴室空調装置。
【請求項２】
前記気流発生手段は浴室空間の換気を行うための手段であって、
浴室空間の換気を行うことで浴室空間の湿度上昇を抑制することを特徴とする請求項１に記載の浴室空調装置。
【請求項３】
前記気流発生手段は単位時間当たりにおける浴室空間の換気量が変動するように制御されていることを特徴とする請求項２に記載の浴室空調装置。
【請求項４】
前記気流発生手段による浴室空間の換気量は、前記涼水ミストの累積噴出時間が短い時よりも長い時の方が多くなるように制御されていることを特徴とする請求項２に記載の浴室空調装置。
【請求項５】
前記気流発生手段は、浴室空間の換気を行うための換気ファンと、浴室空間内の空気を循環させるための循環ファンとを備えることを特徴とする請求項２に記載の浴室空調装置。
【請求項６】
前記涼感運転モードの開始に近い所定の第１の時点では、前記循環ファンによって発生する循環気流が前記換気ファンによって発生する換気気流より多く、前記第１の時点より所定時間後の第２の時点では前記換気ファンによって発生する換気気流が前記循環ファンによって発生する循環気流より多くなるように制御されていることを特徴とする請求項５に記載の浴室空調装置。
【請求項７】
前記涼感運転モードの開始に近い所定の第１の時点では、該第１の時点より所定時間後の第２の時点に比して、前記循環気流の流量と前記換気気流の流量をともに多くすると共に互いの流量割合差が少なくなるように制御され、前記第２の時点では、前記第１の時点に比して前記循環気流の流量及び前記換気気流の流量をともに低下させるとともに、前記換気気流の流量に比して前記循環気流の流量割合が多くなるように制御され、前記第２の時点より所定時間後の第３の時点では、前記第２の時点に比して前記循環気流の流量に比して前記換気気流の流量割合が多くなるように気流発生手段は制御されることを特徴とする請求項６に記載の浴室空調装置。
【請求項８】
浴室空間を除湿するための除湿装置を備え、前記制御手段は前記涼感運転モードにおいて、浴室空間を除湿して浴室空間の湿度上昇を抑制するように前記除湿装置を制御することを特徴とする請求項１に記載の浴室空調装置。
【請求項９】
前記涼水ミスト噴出手段によって噴出される涼水ミストの粒径は、前記涼感運転モードにおける粒径が、前記涼感運転モード以外の第２の涼水ミスト噴出モードにおける粒径よりも小さくなるように構成されていることを特徴とする請求項１に記載の浴室空調装置。
【発明の詳細な説明】
【技術分野】
【０００１】
本発明は、浴室空間の空調を制御する浴室空調装置に関する。
【背景技術】
【０００２】
従来、このような浴室空調装置の一例として、下記特許文献１に記載されているようなものが提案されている。下記特許文献１には、夏季に入浴する場合等において快適な入浴環境を提供するために涼水ミストを噴出させるミスト冷房装置が記載されている。具体的には、段落番号２３にあるように、ミストサウナの使用後は、放熱に頼るだけでは浴室内の温度が速やかに低下せず、特に夏場などにおいては入浴者に不快感を与えてしまうこともあるため、早期に、かつ適度に浴室内の温度を低下させ、さらに入浴者にミストサウナ後の快適なクールダウンも提供することを目的に、水を微粒化した涼水ミストを噴出し得るミストノズルを設けた構成を開示している。
【特許文献１】特開平８−１６４１８３号公報
【発明の開示】
【発明が解決しようとする課題】
【０００３】
上述した従来の技術では、ミストサウナ後、浴室内温度を速やかに低下させること、及び入浴者に快適なクールダウンを提供することを目的に、浴室内のミストノズルから涼水を噴出させることにより、浴室内の温度を低下させる技術を開示している。つまり、体温よりも低い温度の涼水を入浴者に供給し、入浴者の体に涼水が触れることで、入浴者の体表面と涼水との間で熱交換が行われ、これによって入浴者に涼感を与えるという技術を開示している。
【０００４】
従来の技術のように涼感を与えるために涼水ミストを噴出して、この涼水ミストが体表面と熱交換を行って熱を奪うようにすることは、入浴者に涼感を与える手段としては非常に有効な手段である。しかしながら、熱交換によって涼感を与える為には、熱交換できる程度の体温より低い温度の水分が必要量確保される必要があるため、必然的に涼水ミストの粒径を大きくしたり、涼水ミストの噴出量を多くしたりする等の必要があった。
【０００５】
ここで、ミストサウナ後のクールダウンに従来の技術を適用することを想定すると、ミストサウナ後の入浴者に涼感を的確に与えるために、入浴者の目に見えるような大粒径の涼水ミストを多量に噴出することが好ましいと考えられる。これは、ミストサウナ後の入浴者の体温が非常に高くなっていることと、ミストサウナ後の入浴者が急速で強い涼感刺激を得たいと欲していることに起因する。このような状況の入浴者であれば、上述したような大粒径の涼水ミストを多量に浴びても違和感がなく、寧ろそのような大粒径の涼水ミストを多量に浴びないと良好な涼感を得ることができない。
【０００６】
一方、ミストサウナ後ではなく、入浴者が普通に浴槽に浸かっている状態で、のぼせないために頭だけを涼しくしたいと感じている状況や、入浴者が浴槽のリムに腰かけている状態で少し涼みたいと感じている状況、換言すると露天風呂のような心地良さの入浴がしたいと感じている状況では上述した従来の技術を適用することは困難であることを本発明者らは見出した。
【０００７】
より具体的に本発明者らの知見を説明すると次のようになる。すなわち、露天風呂のような心地良さの入浴がしたいと感じている入浴者に従来の技術のように熱交換によって涼感を与えようとすれば、大粒径の涼水ミストを多量に浴びさせることになり、ずぶ濡れ感や強すぎる涼感に起因する違和感や不快感を与えることになる。
【０００８】
ずぶ濡れ感による違和感や不快感を詳述すると、露天風呂のような環境で入浴をしたいと思っている入浴者に対して、目に見えるような大き目の粒径の涼水ミストを多く噴出することは、降雨の露天風呂に入っているような感じで視覚的な感覚が良好でないだけでなく、顔や髪の毛などが濡れてしまって非常に不快感を覚え、決して良好な感覚を与えることが出来ない。
【０００９】
強すぎる涼感による違和感や不快感を詳述すると次のようになる。従来の技術にあるようなミストサウナ後は、浴室内の相対湿度が１００％に達して浴室内で結露が発生しているような環境であるため、入浴者の体表面に付着した水分が気化することはない。従って、体から気化熱を奪うことができないような環境であるため、水との熱交換によって涼感を与える必要があるため粒径の大きな涼水ミストを多く噴出させて入浴者を冷たい水で濡らすようにすることが好ましい。一方、露天風呂のような入浴環境を実現しようとすると、ミストサウナ後と違って相対湿度が比較的に低い環境にする必要があることから、入浴者の体表面に付着した水分が気化しやすい状況にある。この環境に対してミストサウナ後のように、大き目の粒径の涼水ミストを多く噴出して入浴者を積極的に濡らして熱交換によって涼感を与えるような技術を導入すると、熱交換による涼感に加えて、この涼水ミストが気化する際に体から熱を奪うため、露天風呂のような心地良さとは程遠い、強い涼感刺激を与えてしまう。
【００１０】
さらに、熱交換をさせるために噴出する大粒径で多量の涼水ミストが浴槽の中に入ってお湯の温度を低下させてしまい、温度が高めのお湯の中に長く浸かっていることができるという露天風呂の良さの一つをスポイルしてしまうという新たな課題も生じた。
【００１１】
そこで本発明では、閉空間である浴室空間の中にあって、露天風呂のような心地の良い入浴環境を入浴者に提供することができる浴室空調装置を提供することを目的とする。
【課題を解決するための手段】
【００１２】
本発明に係る浴室空調装置は、浴室空間の空調を制御する浴室空調装置であって、浴室空間に涼水ミストを噴出する涼水ミスト噴出手段と、浴室空間内に気流を発生させる気流発生手段と、ミスト噴出手段及び気流発生手段をそれぞれ制御する制御手段と、を備え、制御手段は、浴槽側の入浴者に対して涼感を体感させ得る涼感運転モードを備えており、涼感運転モードにおいては、涼水ミスト噴出手段及び気流発生手段を制御し、涼水ミストの噴出による浴室空間の湿度上昇を抑制するように構成されている。
【００１３】
本発明は、浴室内という閉空間に中にあって極めて快適な露天風呂のような感覚で入浴ができるように浴室内を心地の良い涼感環境にすることが目的であるが、単に浴室内に風を送るだけでは浴室内の温度が高いこともあって野外の風と違って心地良いと感じられるような風にならず、露天風呂のような雰囲気を作り出すことは難しかった。そこで、本発明者らは、閉空間である浴室内にあっても心地良い露天風呂のような雰囲気を作り出すために、送風する風の中に涼水ミストを混入させることでさわやかな冷たい風を作り出すと同時に、体に付着した涼水ミストが風によって更に気化し、その際に熱を奪うため屋外と同じような心地良い涼感を与えることができるように工夫したものである。
【００１４】
上述した技術的思想に基づき本発明では、浴室空間に涼水ミストの噴出を行いつつ気流を発生させるので、浴槽側で入浴中の入浴者に涼水ミストを供給するのと合わせて風を当てることによって、入浴者の体表面から気化熱で熱を速やかに奪うことができる。従って、閉空間である浴室空間内にあって、屋外の露天風呂のように、風が吹いた時に気化熱で体から熱が奪われて心地の良い涼感を得るのと同じような感覚を得ることができる。また、気化熱を利用して涼感を与える構成であるため、粒径が大きく明らかに目に見えるような涼水ミストを噴出する必要がなく、涼水ミストを多く噴出する必要もないため、降雨の露天風呂のような感じではなく、極めて快適な露天風呂に近い良好な雰囲気の涼感環境を作り出すことができる。更に、人体がびしょ濡れになったという不快な感覚を覚えたり、浴槽内のお湯の温度を大きく低下させたりしてしまうことも回避できる。
【００１５】
また、気化熱を奪うために必要な涼水ミストを浴室のような閉空間で噴出し続けると開放空間ではないために涼水ミストが蓄積されて湿度が除々に高くなっていき、結果として水分の蒸発が起こり難くなって気化熱による涼感効果が低下してしまうという問題が発生した。また、浴室のような温度が高い状態では湿度が高まっていくと湿度の上昇に伴って蒸し暑さすら感じるような不快感を与える状況になるという問題も招いた。しかしながら、本発明においては涼感運転モードの期間中に渡って気化熱が発生するように浴室空調装置を制御するので、入浴者に開放空間である露天風呂のような心地良さの涼感を継続的に与え続けることができる。具体的に言えば本発明では、気流発生手段や必要に応じて他の手段を用いることで、涼水ミストの噴出による湿度上昇を抑制するように構成されているので、涼感運転モードの期間中に渡って水分の蒸発が起こり難くなる状況を回避して最適な量の気化熱を継続的に確実に奪い、入浴者に開放空間である露天風呂のような心地良さの涼感を継続的に与え続けることができる。
【００１６】
本願請求項２に係る浴室空調装置では、涼感運転モード時の気流発生手段として浴室空間の換気を行う構成としているため、換気を行うことで浴室空間内に気化熱を奪うための気流を発生できるとともに、それと同時に換気を行っているため浴室空間の湿度上昇をも抑制できることから同時に二つの効果を奏することができ、構成を極めてシンプルなものとできる。また、浴室空調装置として換気を行う手段は一般的に装備されているため、本発明における涼感運転モードを実行する上で欠かすことができない、気流発生手段や、湿度の上昇を抑制する手段を別途設ける必要がないという効果も奏することができる。
【００１７】
本願請求項３に係る浴室空調装置は、気流発生手段が単位時間当たりにおける浴室空間の換気量が変動するように制御されている。連続的に浴室空間の換気を行うようして気流を発生させると、入浴者は涼感刺激を連続的に与えられることになり、その涼感刺激に入浴者が慣れてしまう場合がある。入浴者が涼感刺激に慣れてしまうと、より強い涼感刺激を求めるようになってしまい、結果的に入浴者を満足しうる涼感刺激を与えるためには多くの涼水ミストを噴出させる必要が生じたり、気流を強く発生させる必要が生じる。結果として、そのような制御を行うことで露天風呂のような心地良い感覚をスポイルさせてしまうだけでなく、涼水ミストを多めに噴出させるため、浴室のような小さな閉空間では湿度がすぐに上昇して蒸し暑さを与えてしまうという問題が生じる。本請求項に係る発明では、気流発生手段による単位時間当たりにおける浴室空間の換気量を変動させているため、入浴者が涼感刺激に慣れることを防止でき、これによって少ない涼水ミストの量、気流の量によって心地の良い快適な涼感刺激を長時間に渡って与え続けることが可能となっているものである。また、気化熱による涼感を入浴者に効果的に与えるためには、入浴者が涼水ミストで濡れてその後に風に当たることが好ましい。本請求項に係る発明においては、換気量を変動させて入浴者に当たる風を抑える期間を設けているため、入浴者が少ない涼水ミストによっても必要十分なだけ濡れる時間を確保できるため、確実に適切量の涼感刺激を与えることができるという効果も合わせて提供することができる。
【００１８】
本願請求項４に係る浴室空調装置では、気流発生手段による単位時間当たりにおける浴室空間の換気量は、涼水ミストの累積噴出時間が短い時よりも長い時の方が多くなるように構成されている。この態様では、気流発生手段による単位時間当たりにおける換気量を変動させると共に、その換気量を涼水ミストの累積噴出時間が短い時よりも長い時の方が多くなるように構成している。涼水ミストの累積噴出時間が短い時は、浴室空間内の湿度上昇があまり見込まれないので、換気量を比較的少なくすることで涼水ミストの浮遊量を適切な状態に確保して、入浴者から最適に気化熱が奪えるように構成しているとともに、過剰な気化熱を奪うことがないようにしている。すなわち、換気量を多くすると湿度の排出量の増大とともに気流が強く発生するが、湿度が上昇していない状態で多くの気流を発生させると気化熱が多く奪われるため強い涼感刺激に伴う不快感を入浴者に与えたり、強い涼感刺激の慣れに伴ってその後更に強い涼感刺激を与えないと満足しなくなるため多くの涼水ミストを噴出させなくてはいけなくなったりといった問題が発生しないように構成している。一方、涼水ミストの累積噴出時間が長い時は、浴室空間内の湿度上昇が相当程度に見込まれ、最適量の気化熱を奪うことが困難になるが、換気量を多くして涼水ミストの過剰な浮遊による湿度上昇を抑制しているため、入浴者から最適な気化熱を継続して確実に奪うことができるようにしている。従って、涼水ミストを噴出し続けても、入浴者から最適に気化熱を長い時間に渡って奪い続けることができるようにしている。
【００１９】
本願請求項５に係る浴室空調装置は、気流発生手段が、浴室空間の換気を行うための換気ファンと、浴室空間内の空気を循環させるための循環ファンとを備えている。気流発生手段として換気ファンと循環ファンとを独立して備えているので、換気気流と循環気流とを独立して発生させることができる。従って、涼水ミスト噴出手段が噴出した涼水ミストを循環ファンが発生する循環気流に乗せて下方に送り出すことができるため、換気ファンが発生する換気気流に涼水ミストが引き込まれて排気されることを抑制でき、涼水ミストの噴出量を少なくすることができる。また、換気ファンによって換気気流を発生させているのみであると、涼水ミストを浴室空間内に行き渡らせるためには必要以上に噴出量を増大させる必要があるが、循環気流に乗せて涼水ミストを下方に送り出すことで、涼水ミストの噴出量を必要以上に増大させる必要がなくなり、涼水ミストの過剰噴射に伴う湿度の上昇や雰囲気の低下を緩和できる。また、確実に落下させるために涼水ミストの粒径を大きくするなどの対策を講じる必要がないことから、この点からも湿度の上昇や露天風呂のような心地良さをスポイルすることがない。また、ヒータ等が風路に組み込まれていないため騒音を小さくできる換気ファンと、噴出し風であるため入浴者に向かう直接風とできる循環ファンとの二つのファンを用いて気流を発生させることができるので、最適な気流と騒音の抑制を両立でき、快適な雰囲気をこの点からも作り出すことができる。
【００２０】
本願請求項６に係る浴室空調装置では、涼感運転モードの開始に近い所定の第１の時点では、循環ファンによって発生する循環気流が換気ファンによって発生する換気気流より多く、第１の時点より所定時間後の第２の時点では換気ファンによって発生する換気気流が循環ファンによって発生する循環気流より多くなるように制御されている。この態様によれば、涼感運転モードの開始に近い第１の時点においては、循環気流を主たる気流とすることで涼水ミストの換気に伴う排出を抑制して浴室空間内に確実に浮遊させて入浴者に触れさせて気化熱を確実に奪い涼感を与えることができる。また、浴室内に空気を押込む循環ファンを用いて気流を主に作ることで入浴者に直接風を強めに与えることができ、よって涼感運転モードの開始初期は涼感を強く得たいと思っている入浴者の意向に沿った形で強めの涼感を確実に提供できる。一方、第１の時点より所定時間経過した第２の時点では涼水ミストの継続噴出に伴って浴室空間内の湿度が上がって気化熱を奪うことが困難になると同時に、涼水ミストの粒径が小さく噴射量が少ないため入浴者が濡れるような状況でない環境で湿度が高くなっていくような本発明の環境においては、蒸し暑さを与えるような状況になるが、本請求項に係る発明では、第２の時点においては換気気流を主たる気流とするように構成しているため浴室空間内の過度な湿度上昇を抑制することができる。また、時間経過とともに入浴者の強い涼感要求も低下していることから、第２の時点においては循環気流から換気気流を主たる気流とすることで、騒音も大きめで、かつ入浴者に吹き付ける気流で強い涼感刺激を与える循環気流を緩和して、騒音も低く浴室内から空気を吸い出すことによって生じる優しい風の気流となる換気気流によって入浴者から気化熱によって熱を奪って涼感を与えるようにすることで、露天風呂のような雰囲気で、かつ露天風呂のような心地の良い感じで適度な涼感を与えることができる。
【００２１】
本願請求項７に係る浴室空調装置では、涼感運転モードの開始に近い所定の第１の時点では、該第１の時点より所定時間後の第２の時点に比して、循環気流の流量と換気気流の流量をともに多くすると共に互いの流量割合差が少なくなるように制御され、第２の時点では、第１の時点に比して循環気流の流量及び換気気流の流量をともに低下させるとともに、換気気流の流量に比して循環気流の流量割合が多くなるように制御され、第２の時点より所定時間後の第３の時点では、第２の時点に比して循環気流の流量に比して換気気流の流量割合が多くなるように気流発生手段が制御されている。涼感運転モードの開始に近い第１の時点は、涼みたいという要求が入浴者に生じた時であるので、循環気流と換気気流との総量を多くすることで入浴者により多くの風を当てて、入浴者からより多くの気化熱を奪うことでその要求に応えることができる。第１の時点より所定時間経過した第２の時点は、上述したような入浴者の要求も少しは収まってきたと考えられるので、気流の総流量を低下させて騒音の低下を図るとともに、涼感刺激を若干緩和させている。また、換気気流の流量を多めに低下させることで、直接の送風で強めの涼感を与えることができる循環気流の流量を高めに維持しているので、気流を低下させても強めの涼感を確保できるので涼感不足を入浴者に与えることはない。その後の第３の時点では、更に入浴者の涼感要求は低下したと考えられることに加え、涼水ミストの継続噴射に伴って浴室空間内の湿度が上昇してくるので、換気に伴う気流が支配的になるように制御されている。これによって、循環ファンによる直接入浴者に当てるような吹き下ろしの風から、吸出しによる優しい気流の風によって涼感を与えるようになるため、騒音が低く、また入浴者の涼感要求にも沿った露天風呂のような心地の良い雰囲気と涼感を入浴者に与えることができる。さらに、換気によって上昇した浴室空間内の湿度を低下させることができ、入浴者から更に継続的に気化熱を奪って涼感刺激を与え続けることができる。
【００２２】
本願請求項８に係る浴室空調装置は、浴室空間を除湿するための除湿装置を備え、制御手段は涼感運転モードにおいて、浴室空間を除湿して浴室空間の湿度上昇を抑制するように除湿装置を制御する。この態様によれば、浴室空間を除湿するための除湿装置を備え、その除湿装置を利用して浴室空間の湿度上昇を抑制しているので、除湿装置の性能に応じた的確な湿度上昇制御を行うことができるとともに、気流の発生と湿度上昇の抑制を分離して独立的に制御できるため一層最適に気化熱を奪う制御と心地良さの両立を高い次元で満足させることができ、また、換気を用いた場合では外気の状態に左右されるが、除湿装置を用いることで外気の湿度状態に関わりなく確実に浴室内の湿度を最適な状態にすることが可能となる。
【００２３】
本願請求項９に係る浴室空調装置は、涼水ミスト噴出手段によって噴出される涼水ミストの粒径は、涼感運転モードにおける粒径が、涼感運転モード以外の第２の涼水ミスト噴出モードにおける粒径よりも小さくなるように構成されている。この態様によれば、涼感運転モード以外における涼水ミストの粒径を大きくすることができるので、涼感運転モードの際、明確には目に見えないぐらいの小さな粒径で涼水ミストを噴出させることで雨の露天風呂ではなく晴天時の露天風呂のような感覚でありながら気化熱によって心地良い涼感を確実に与えることができる。一方入浴者が晴天時の露天風呂のような爽やかな涼感ではなく、湯上り時等に若干水を浴びるような感覚で強めにクールダウンをしたいと思っているような場合は、明確には目に見えない粒径の涼水ミストでは視覚的にも体感的にも涼感を得難いが、本請求項に係る発明においては大きめの粒径の涼水ミストを噴出可能な第２の涼水ミスト噴出モードを備えているため入浴者の要求に合った強い涼感をも合わせて提供することを可能としている。
【発明の効果】
【００２４】
本発明によれば、入浴中の入浴者に、閉空間の浴室内にあってあたかも屋外の露天風呂に入っているかのような、心地よい快適な涼感環境を提供することができる。
【発明を実施するための最良の形態】
【００２５】
以下、添付図面を参照しながら本発明の好適な実施の形態について説明する。説明の理解を容易にするため、各図面において同一の構成要素に対しては可能な限り同一の符号を付して、重複する説明は省略する。
【００２６】
本発明の実施形態に係る浴室空調装置を使用する態様について図１を参照しながら説明する。図１は、浴室空調装置を構成する浴室空調機本体１０を浴室ユニットＢＲに取り付けた一例を説明するための図である。
【００２７】
浴室ユニットＢＲは、集合住宅や戸建住宅に浴室を設ける際に用いられるものであり、壁、床、天井、浴槽といった構成部材を組み立てて浴室とするものである。浴室ユニットＢＲは、床部材２０と、壁部材２１，２２，２３と、天井部材２４とを備えている。壁部材２１，２２，２３は床部材２０の周囲に立設させて取り付けられている。壁部材２１と壁部材２３とは互いに対向した位置に設けられている。壁部材２２は、壁部材２１と壁部材２３とに隣接して設けられている。尚、図１には明示しないが、壁部材２２と対向する位置に壁部材が設けられており、この壁部材は壁部材２１と壁部材２３とに隣接している。また、床部材２０と対向するように天井部材２４が設けられている。
【００２８】
壁部材２２には、カウンター部分２２１と収納棚２２３とが設けられている。カウンター部分２２１にはシャワー水栓２２２が取り付けられている。壁部材２３には、浴室ユニットＢＲに出入りするための扉２３１が設けられている。尚、図１には明示しないが、扉２３１にはガラリが設けられている。
【００２９】
床部材２０には浴槽ＢＴが設けられている。浴槽ＢＴは直方体を成す升状の形態となっており、浴槽ＢＴを構成する四つの壁のうちの三つの壁が壁部材２１，２２及び図１に明示しない壁部材に沿って配置されている。従って、浴槽ＢＴの一つの壁は床部材２０の略中央付近に立設された状態になっている。
【００３０】
天井部材２４は、平坦な天井部分２４１とドーム型の天井部分２４２とで構成されている。天井部分２４１は浴槽ＢＴの略直上に、天井部分２４２は浴槽ＢＴが設けられていない床部材２０の略直上にそれぞれ配置されている。天井部分２４１には浴室空調機本体１０が取り付けられている。浴室空調機本体１０から噴出されるミストや風は、ルーバー（図１においては明示しない）によって浴室ユニットＢＲ内の意図した部分に送り出すことが可能なように構成されている。
【００３１】
引き続いて、本実施形態である浴室空調装置によって実現可能な空調制御について説明する。本実施形態である浴室空調装置は、浴室ユニットＢＲ内の浴室空間の空調を制御する装置であって、涼感運転モード制御（露天風呂モード制御とも呼称する、以下同じ）が可能なように構成されている。
【００３２】
涼感運転モード制御とは、入浴者に対して涼感を体感させ得るモードであって、より具体的には、入浴者に微細な涼水ミストを付着させ、その涼水ミストの気化熱に相当する熱を入浴者から奪って涼感を体感させ得るモードである。より具体的に涼感運転モード制御とは、露天風呂のような心地の良い入浴環境を入浴者に提供するモードであって、浴槽ＢＴ側の入浴者に対して涼感を体感させ得るモードである。換言すれば、閉空間である浴室空間ＢＲ内にあって、屋外の露天風呂のように、風が吹いた時に気化熱で体から熱が奪われて心地の良い涼感を得るのと同じような感覚を得ることができるモードである。
【００３３】
尚、微細な涼水ミストとしては、３〜５ミクロン程度が明確には目に見えず、一方で気化熱によって熱も奪ってくれるという程度で良好であり、２０ミクロンまでが妥協できる最大範囲であると考えている。３〜５ミクロン程度の最良のミストを生成するためには、超音波式が騒音などの様々な要素を含めて最適である。
【００３４】
図２は、涼感運転モード制御を説明するための図である。図２においては、浴槽ＢＴのリムの一端にベンチＢＴ１が、浴槽ＢＴの内側にベンチＢＴ２が、それぞれ形成されている。また、図１で説明した浴室ユニットＢＲとは反対側の壁面にベンチカウンター２２４が設けられており、ベンチカウンター２２４が設けられている壁面には鏡２２５が設けられている。また、浴室ユニットＢＲの洗い場側下方には、扉（図２には明示しないが、図１における扉２３１）にガラリ２３２が設けられている。
【００３５】
浴槽ＢＴの上方には浴室空調機本体１０が配置されている。浴室空調機本体１０は、循環ファンＣＦ及び換気ファンＶＦを備えている。循環ファンＣＦは、浴室ユニットＢＲ内の空気を吸引して浴室ユニットＢＲ内に送風し、浴室ユニットＢＲ内に循環気流ＣＣを形成するものである。換気ファンＶＦは、浴室ユニットＢＲ内の空気を吸引して浴室ユニットＢＲ外に送り出し、浴室ユニットＢＲ内に換気気流ＶＣを形成するものである。
【００３６】
浴槽ＢＴには湯が張られており、入浴者Ｈは浴槽ＢＴにおいて入浴中である。入浴者Ｈが、涼感運転モード制御を選択すると、洗い場側に向けて涼水ミストＣＭが噴出される。図２の場合、循環ファンＣＦも回転しており、循環気流ＣＣが形成されている。循環気流ＣＣは、洗い場床面に向けて噴出されており、洗い場床面に沿って浴槽側に流れ、その後浴室空調機本体１０に吸い込まれる。従って、循環気流ＣＣは、浴室空調機本体１０から洗い場床面に向かる下降循環気流と、洗い場床面から浴槽側に循環した後に浴槽ＢＴ上方へと循環する上昇循環気流とによって構成されている。
【００３７】
図２の場合、換気ファンＶＦも回転しており、換気気流ＶＣが形成されている。換気気流ＶＣは、ガラリ２３２から浴室空調機本体１０の内気吸引口（図２においては明示しない）へ向かって流れており、循環気流ＣＣの上昇循環気流と並行するように形成されている。
【００３８】
涼水ミストＣＭは、洗い場側に向けて噴出され、循環気流ＣＣの下降循環気流によって洗い場床面に搬送される。その後、下降循環気流が涼水ミストＣＭを搬送して浴槽側に循環した後に上昇して浴室空調機本体１０に吸い込まれる。また、換気気流ＶＣは、その涼水ミストＣＭを搬送している上昇循環気流と並行して浴室空調機本体１０へと吸い込まれる。
【００３９】
したがって、涼水ミストＣＭは、洗い場床面を経由して浴槽ＢＴ上方へと向かう気流に搬送されて入浴者Ｈに接触する。入浴者Ｈは、涼水ミストＣＭを頭上から浴びるのではなく、横もしくは下方から吹いてくるそよ風のような気流に乗った状態の涼水ミストＣＭに接触するので、心地よい露天風呂のような涼感を得ることができる。
【００４０】
心地よい露天風呂のような感じを与えることのできる涼感運転モードは図２に例示した態様が好ましいが、入浴者Ｈがより強い涼感を得たいと欲する場合には図３に例示する態様も好ましい。
【００４１】
図３の場合、入浴者Ｈが、涼感運転モード制御を選択すると、浴槽ＢＴ側に向けて涼水ミストＣＭが噴出される。図３の場合、循環ファンＣＦも回転しており、循環気流ＣＣが形成されている。循環気流ＣＣは、浴槽ＢＴ側に向けて噴出されており、浴槽ＢＴ内を循環し、その後浴室空調機本体１０に吸い込まれる。
【００４２】
図３の場合、換気ファンＶＦも回転しており、換気気流ＶＣが形成されている。換気気流ＶＣは、ガラリ２３２から浴室空調機本体１０の内気吸引口（図２においては明示しない）へ向かって流れている。
【００４３】
涼水ミストＣＭは、浴槽ＢＴに向けて噴出され、循環気流ＣＣによって浴槽ＢＴに搬送される。従って、浴槽ＢＴで入浴中の入浴者Ｈに直接吹き付けることができ、より強い涼感刺激を入浴者Ｈに与えることができる。
【００４４】
尚、涼水ミストＣＭの噴出方向や噴出量、循環気流ＣＣ及び換気気流ＶＣの形成態様の詳細については後述する。
【００４５】
引き続いて、本実施形態である浴室空調装置について説明する。図４は、浴室空調装置ＭＳのブロック構成図である。
【００４６】
図４に示すように、浴室空調装置ＭＳは、ＣＰＵ４０（制御手段）と、ＲＯＭ・ＲＡＭからなる記憶部４１（制御手段）と、洗面所操作リモコン４２と、浴室操作リモコン４３と、浴室温度センサー４４と、洗面所温度センサー４５と、浴室湿度センサー４６と、洗面所湿度センサー４７と、可動ルーバー用モータ５０と、可動ルーバー５０１と、循環ファン駆動モータ５３（循環送風手段、気流発生手段）と、循環ファンＣＦ（循環送風手段、気流発生手段）と、ポンプ駆動モータ５４（涼水ミスト噴出手段）と、ミストポンプ５４１（涼水ミスト噴出手段）と、換気ファン駆動モータ５５（換気手段、気流発生手段）と、換気ファンＶＦ（換気手段、気流発生手段）と、メインバルブ５６（涼水ミスト噴出手段）と、ミストバルブ５７（涼水ミスト噴出手段）と、排水バルブ５９と、暖房ヒータ６０と、スイッチ６０１と、暖房ヒータ６１と、スイッチ６１１と、暖房ヒータ６２と、スイッチ６２１と、ミストヒータ６３と、スイッチ６３１と、を備えている。引き続いて、各構成要素について説明する。
【００４７】
ＣＰＵ４０は、他の各構成要素から出力される指示信号や状態表示信号を受信し、その受信した信号に基づいて所定の情報処理を行う演算装置である。ＣＰＵ４０は、記憶部４１に格納されているソフトウェアを読み込んで情報処理を行う。
【００４８】
洗面所操作リモコン４２は、浴室空調装置ＭＳが取り付けられる住宅の浴室隣の洗面所等に配置されるリモコンである。洗面所操作リモコン４２に入力される指示は、指示信号としてＣＰＵ４０に送信される。
【００４９】
浴室操作リモコン４３は、浴室空調装置ＭＳが取り付けられる住宅の浴室に着脱自在で入浴者が取り外して手元で操作が可能なように設置されている。浴室操作リモコン４３に入力される指示は、無線電波を利用して指示信号としてＣＰＵ４０に送信される。
【００５０】
浴室操作リモコン４３の操作パネルの一例を図５に示す。図５に示すように、浴室操作パネル４３１は、表示領域４３ａと、操作領域４３ｂと、タッチパネル式の露天風呂モード操作・表示領域４３ｃと、ミスト操作領域４３ｄとを備えている。
【００５１】
表示領域４３ａには、時刻の表示や浴室空調装置ＭＳの運転状況の表示がなされる。運転状況の表示としては、「露天風呂モード（涼感運転モード）実行中」であるとの表示や、涼感温度の表示が含まれる。
【００５２】
操作領域４３ｂには、「電源」ボタン４３ｂａ、「止」ボタン４３ｂｂ、「暖房」ボタン４３ｂｃ、「換気」ボタン４３ｂｄ、「ミストサウナ」ボタン４３ｂｅ、「涼風」ボタン４３ｂｆ、「涼水ミスト」ボタン４３ｂｇが設けられている。
【００５３】
「電源」ボタン４３ｂａは、浴室空調装置ＭＳの主電源を投入するためのボタンである。「電源」ボタン４３ｂａを押下すると主電源が投入され、再度押下すると主電源を切ることができる。「止」ボタン４３ｂｂは、他のボタンを押下することによって作動中の動作を停止させるためのボタンである。
【００５４】
「暖房」ボタン４３ｂｃは、浴室内において暖房を行うためのボタンであって、このボタンを押下することで、スイッチ６０１，６１１，６２１が閉じられて、電気式の暖房ヒータ６０，６１，６２にそれぞれ通電される。また、循環ファン駆動モータ５３が駆動されて、循環ファンＣＦが回転する。
【００５５】
「換気」ボタン４３ｂｄは、浴室の湿度や温度の状態に応じて換気時間を設定して最適な時間自動的に換気を行うためのボタンであって、このボタンを押下することで、換気ファン駆動モータ５５が駆動されて、換気ファンＶＦが上記設定された時間だけ回転する。
【００５６】
「ミストサウナ」ボタン４３ｂｅは、ミストサウナ浴を行う際に用いるボタンであって、このボタンを押下すると、スイッチ６３１が閉じられてミストヒータ６３に通電される。また、ポンプ駆動モータ５４が回転してミストポンプ５４１が駆動され、メインバルブ５６及びミストバルブ５７が開かれて浴室内に温水ミストが噴出される。また、前記した暖房が行われる。
【００５７】
「涼風」ボタン４３ｂｆは、浴室内に涼風を噴出させるためのボタンである。このボタンを押下すると、循環ファン駆動モータ５３及び換気ファン駆動モータ５５が駆動されて、循環ファンＣＦ及び換気ファンＶＦが回転する。尚、スイッチ６０１，６１１，６２１は開かれて、電気式の暖房ヒータ６０，６１，６２には通電されない。
【００５８】
「涼水ミスト」ボタン４３ｂｇは、ミストサウナや入浴中において、クールダウンするために強制的に涼水ミストを最大量噴出させるためのボタンである。このボタンを押下すると、スイッチ６３１が開かれてミストヒータ６３への通電が停止される。また、ポンプ駆動モータ５４が最大回転してミストポンプ５４１が駆動され、メインバルブ５６及びミストバルブ５７が開かれて浴室内に涼水ミストが最大量噴出される。急速で強い涼感を得たい時等に有効なものである。
【００５９】
露天風呂モード操作・表示領域４３ｃはタッチパネル構造として構成されており、タッチ操作することで色が反転するように構成されている。操作ボタンとしては、「クールダウン付き露天風呂モード」ボタン４３ｃａと、「露天風呂モード」ボタン４３ｃｂとが設けられている。
【００６０】
例えば、図５に現在示されている状態では、「クールダウン付き露天風呂モード」ボタン４３ｃａが操作されていることがわかるようにボタンの色が反転しており、クールダウン付き露天風呂モードを運転していることが見て取れる。これによって、表示領域４３ａに涼感運転中であることがわかるように露天風呂モードであることが表示される。また、涼感温度が２５℃に設定されていることが読み取れる。
【００６１】
「クールダウン付き露天風呂モード」ボタン４３ｃａを操作すると、クールダウン付きの露天風呂モードによる制御が行われる。クールダウン付きの露天風呂モードとは、図３を参照しながら説明した空調制御を行って入浴者に強い涼感刺激を与えた後に、図２を参照しながら説明した空調制御を行って、入浴者に快適な露天風呂のような涼感を与えるものである。一方、「露天風呂モード」ボタン４３ｃｂを操作すると、露天風呂モードによる制御が行われる。露天風呂モードとは、図２を参照しながら説明した空調制御を行って、入浴者に快適な露天風呂のような涼感を与えるものである。
【００６２】
ミスト操作領域４３ｄには、「ミスト感」ボタン４３ｄａと、「涼感」ボタン４３ｄｂと、「風速」ボタン４３ｄｃと、「風向き」ボタン４３ｄｄとが設けられている。
【００６３】
「ミスト量」ボタン４３ｄａは、露天風呂モード運転の際に使用できるボタンである。「ミスト量」ボタン４３ｄａは、「上」側を押下すると浴室内への涼水ミスト量を増やし、「下」側を押下すると浴室内への涼水ミスト量を減らすように構成されている。これは雰囲気と涼感程度のバランスを入浴者の好みに合わせることを可能するボタンであり、涼水ミスト量を増やせば、風に混入させる涼水ミストの量を増やせるため温度を下げることができ、涼感刺激を高めることができる一方で、涼水ミストの噴射音や、ミストが見えるようになるなどの状況から、露天風呂のような雰囲気を若干スポイルしてしまう。この兼ね合いを調整できるものである。
【００６４】
「涼感」ボタン４３ｄｂは、露天風呂モード運転の際に使用できるボタンである。「涼感」ボタン４３ｄｂは、清涼感を増減させるためのボタンである。「涼感」ボタン４３ｄｂの「下」側を押下すると涼感程度を強める為に、涼水ミストの温度がミストヒータ４３を制御することによって下げられ、かつミスト粒径も大きくなるように制御される。これらによって、涼感程度が強く感じられるようになる。反対に「上」側を押下すると清涼感が低下するように上記と反対の制御が行われる。また、この「涼感」ボタン４３ｄｂを操作することで表示パネル４３ａの涼水ミストの温度を表す「ＣＯＯＬ」の温度表示が連動して上下するように構成されている。
【００６５】
「風速」ボタン４３ｄｃは、露天風呂モード運転の際に使用できるボタンである。「風速」ボタン４３ｄｃは、涼風の噴出し速度を変更するためのボタンである。「風速」ボタン４３ｄｃの「高」側を押下すると風速が高くなり、「低」側を押下すると風速が低くなる。
【００６６】
「風向き」ボタン４３ｄｄは、露天風呂モード運転の際に使用できるボタンである。「風向き」ボタン４３ｄｄは、風向を変更するための十字ボタンである。「風向き」ボタン４３ｄｄを押下すると、可動ルーバー用モータ５０が回転し、可動ルーバー５０１が駆動される。「風向き」ボタン４３ｄｄの「浴槽側」を押下すると、可動ルーバー５０１が駆動されて、風の噴出方向が浴槽側に向けられる。一方、「風向き」ボタン４３ｄｄの「洗い場側」を押下すると、可動ルーバー５０１が駆動されて、風の噴出方向が洗い場側に向けられる。
【００６７】
浴室内リモコン４３には浴室操作パネル４３１の裏側に詳細設定パネルが設けられている。図６に詳細設定パネル４３２の例を示す。図６に示す例は、露天風呂モードにおける詳細設定パネル４３２の状態を示した図である。
【００６８】
図６に示すように、露天風呂モードにおける詳細設定パネル４３２では、大項目として「涼感条件設定」「露天風呂モードの構築条件設定」が設定可能なように表示されている。
【００６９】
「涼感条件設定」においては、「ＡＵＴＯ設定」が、「マニュアル設定」かが選択可能なように構成されている。「ＡＵＴＯ設定」では、「涼感刺激優先」か「露天風呂雰囲気優先」かが選択可能なように構成されている。
【００７０】
「ＡＵＴＯ設定」で「涼感刺激優先」を選択すると、図３を参照しながら説明した空調制御を行って入浴者に強い涼感刺激を与えた後に、図２を参照しながら説明した空調制御を行って、入浴者に快適な露天風呂のような涼感を与える制御を行う。一方、「ＡＵＴＯ設定」で「露天風呂雰囲気優先」を選択すると、図２を参照しながら説明した空調制御を行って、入浴者に快適な露天風呂のような涼感を与える制御を行う。
【００７１】
「マニュアル設定」では、「涼水ミスト設定」と「涼風設定」とが行えるように構成されている。「涼水ミスト設定」では、涼水ミストの粒径が「粒径小」か「粒径大」かが選択可能なように構成されている。また、「涼水ミスト設定」では、涼水ミストが入浴者に対して直接噴射されることとなる「浴槽側噴出」なのか洗い場側に噴射されて気流に乗って涼水ミストが入浴者に当たるようにする間接的噴射の「洗い場側噴出」なのかが選択可能なように構成されている。また、「涼水ミスト設定」では、涼水ミストが「連続噴出」なのか「ゆらぎ噴出」なのかが選択可能なように構成されている。
【００７２】
「涼風設定」では、風の強さや換気か循環かが選択可能なように構成されている。具体的には、「涼風設定」では、浴室空調機本体１０から噴出される風が「強め」か「低騒音」かが選択可能なように構成されている。「強め」を選択すると、循環ファンＣＦ及び換気ファンＶＦの双方が最大回転するように制御される。「低騒音」を選択すると、循環ファンＣＦ及び換気ファンＶＦのいずれかが選択的に回転するように制御されるか、循環ファンＣＦ及び換気ファンＶＦの双方が中程度の回転をするように制御される。
【００７３】
「涼風設定」では、浴室空調機本体１０から噴出される風が「換気優先」か「循環風優先」かが選択可能なように構成されている。「換気優先」を選択すると、換気ファンＶＦが主として回転するように制御される。「循環風優先」を選択すると、循環ファンＣＦが主として回転するように制御される。
【００７４】
「露天風呂モード構築条件設定」では、「常時露天風呂モード」か「自動サイクル構築」か「マニュアル設定時構築」かが選択可能なように構成されている。
【００７５】
「常時露天風呂モード」を選択すると、常に入浴者に涼感を体感させ得るようにＣＰＵ４０が制御を行う。「自動サイクル構築」を選択すると、設定したサイクル数で設定された時間だけ自動的に、入浴者に涼感を体感させ得るようにＣＰＵ４０が制御を行う。具体的には、「内湯モード」と「露天モード」とが交互に「サイクル数」だけ出現するように設定できる。「内湯モード」とは通常の入浴状態の制御であり、「露天モード」とは図２を参照しながら説明した状態の制御である。「内湯モード」が「１０分」、「露天モード」が「５分」、「サイクル数」が「２回」で設定されていると、「内湯モード」の制御を１０分間行った後に「露天モード」の制御を５分間行うサイクルを２回繰り返す。
【００７６】
「マニュアル設定時構築」を選択すると、入浴者の操作に応じて、入浴者に涼感を体感させ得るようにＣＰＵ４０が制御を行う。「マニュアル設定時構築」では、「ＯＮ／ＯＦＦ方式」と「ＯＮ後所定時間露天風呂モード」とが設定可能である。「ＯＮ／ＯＦＦ方式」は、入浴者の操作に応じて露天風呂モードの制御を実行し、またその実行を停止する方式である。「ＯＮ後所定時間露天風呂モード」は、入浴者の操作に応じて設定された時間（図６においては５分間）露天風呂モードの制御を実行し、その時間の経過後に実行を停止する方式である。
【００７７】
図４に戻り、浴室温度センサー４４は、浴室の温度を測定するためのセンサーであり、浴室内に設置されている。洗面所温度センサー４５は、洗面所の温度を測定するためのセンサーであり、洗面所内に設定されている。浴室湿度センサー４６は、浴室内の湿度を測定するためのセンサーであり、浴室内に設置されている。洗面所湿度センサー４７は、洗面所内の湿度を測定するためのセンサーであり、洗面所内に設置されている。
【００７８】
浴室温度センサー４４、洗面所温度センサー４５、浴室湿度センサー４６、及び洗面所湿度センサー４７から出力される測定信号はＣＰＵ４０に出力される。
【００７９】
可動ルーバー用モータ５０は、可動ルーバー５０１を駆動するためのモータである。可動ルーバー用モータ５０は、ＣＰＵ４０からの指示信号に基づいて回転する。
【００８０】
循環ファン駆動モータ５３は、循環ファンＣＦを駆動するためのモータである。循環ファンＣＦは、浴室空調機本体１０内に設けられているファンであって、浴室内へ空気を噴出するためのものである。循環ファン駆動モータ５３は、ＣＰＵ４０からの指示信号に基づいて回転する。
【００８１】
ポンプ駆動モータ５４は、ミストポンプ５４１を駆動するためのモータである。ミストポンプ５４１は、メインバルブ５６とミストバルブ５７との間に設けられており、ミストバルブ５７に向けて水圧を上昇させている。ポンプ駆動モータ５４は、ＣＰＵ４０からの指示信号に基づいて回転する。
【００８２】
換気ファン駆動モータ５５は、換気ファンＶＦを駆動するためのモータである。換気ファン駆動モータ５５の回転に応じて換気ファンＶＦが回転し、浴室内の空気を外部に送り出して換気を行う。換気ファン駆動モータ５５は、ＣＰＵ４０からの指示信号に基づいて回転する。
【００８３】
メインバルブ５６は、浴室空調装置ＭＳの配管路において、水道元栓とミストポンプ５４１との間に配置されるバルブである。メインバルブ５６は、ＣＰＵ４０からの指示信号に基づいて開閉動作を行う。
【００８４】
ミストバルブ５７は、浴室空調装置ＭＳの配管路において、ミストポンプ５４１とミストノズル（図４においては明示しない）との間に配置されるバルブである。ミストバルブ５７は、ＣＰＵ４０からの指示信号に基づいて開閉動作を行う。
【００８５】
排水バルブ５９は、浴室空調装置ＭＳの配管路において、ミストバルブ５７とミストノズル（図４においては明示しない）との間から分岐される管路に設けられているバルブである。排水バルブ５９は、ＣＰＵ４０からの指示信号に基づいて開閉動作を行う。
【００８６】
暖房ヒータ６０，６１，６２は、浴室空調機本体１０内の空調路において、吹き出し口近傍に配置されているヒータである。スイッチ６０１，６１１，６２１は、暖房ヒータ６０，６１，６２への通電を制御するスイッチである。スイッチ６０１，６１１，６２１は、ＣＰＵ４０からの指示信号に基づいて通電制御を行う。
【００８７】
ミストヒータ６３は、浴室空調装置ＭＳの配管路において、ミストバルブ５７の上流側に配置されるヒータである。スイッチ６３１は、ミストヒータ６３への通電を制御するスイッチである。スイッチ６３１は、ＣＰＵ４０からの指示信号に基づいて通電制御を行う。
【００８８】
引き続いて、浴室空調装置ＭＳの配管状態を図７を参照しながら説明する。図７は、浴室空調装置ＭＳの配管図である。図７に示すように、水道に接続された上流側から主たる管路に順に、メインバルブ５６、ミストポンプ５４１、ミストヒータ６３、ミストバルブ５７、ミストノズル７２（涼水ミスト噴出手段）が接続されている。
【００８９】
主たる管路の途中から分岐して排水管路が設けられている。排水管路には、排水バルブ５９が設けられている。排水バルブ５９の先の排水管路はドレーン７１に繋がっている。
【００９０】
図７に示す構成の場合、ミストヒータ６３に通電しながら、ミストバルブ５７を開くと、ミストノズル７２からは温ミストが噴出する。一方、ミストヒータ６３に通電せずに、ミストバルブ５７を開くと、ミストノズル７２からは涼水ミストが噴出する。ミストノズル７２から噴出するミストの温度は、ミストヒータ６３への通電状態を制御することで調整することができる。
【００９１】
引き続いて、浴室空調装置ＭＳを構成する浴室空調機本体１０について図８を参照しながら説明する。図８は、浴室空調機本体１０の内部構成を模式的に示した図である。
【００９２】
浴室空調機本体１０は、風路部分１０１と、カバー部分１０２とを備えている。風路部分１０１は、第１風路部分１０１ａ、第２風路部分１０１ｂ、第３風路部分１０１ｃが繋がっている。第１風路部分１０１ａ、第２風路部分１０１ｂ、及び第３風路部分１０１ｃは、互いに９０度の角度を成すように繋がっている。従って、第１風路部分１０１ａから吸い込まれる空気の方向と、第３風路部分１０１ｃから吹き出す空気の方向は互いに１８０度の角度を成している。風路部分１０１は、第１風路部分１０１ａと並行に設けられている第４風路部分１０１ｄを有している。また、第４風路部分１０１ｄには、第５風路部分１０１ｅが繋がっていて、第４風路部分１０１ｄと第５風路部分１０１ｅとは互いに９０度の角度を成している。
【００９３】
第１風路部分１０１ａと第２風路部分１０１ｂとが繋がる部分の近傍には、循環ファンＣＦが設けられている。循環ファンＣＦは、浴室空調装置ＭＳのＣＰＵ４０からの指示信号に基づいて回転する循環ファン駆動モータ５３によって駆動される（図４参照）。
【００９４】
第４風路部分１０１ｄと第５風路部分１０１ｅが繋がる部分の近傍には、換気ファンＶＦが設けられている。換気ファンＶＦは、浴室空調装置ＭＳのＣＰＵ４０からの指示信号に基づいて回転する換気ファン駆動モータ５５によって駆動される（図４参照）。
【００９５】
第３風路部分１０１ｃの終端部分には、暖房ヒータ６０，６１，６２が取り付けられている。暖房ヒータ６０，６１，６２は、浴室空調装置ＭＳのＣＰＵ４０からの指示信号に基づいて開閉するスイッチ６０１，６１１，６２１によって通電状態が制御される（図４参照）。
【００９６】
カバー部分１０２は、風路部分１０１を覆うように取り付けられている。カバー部分１０２は風路部分１０１を覆うと共に、浴室ユニットＢＲの天井部材２４における平坦な天井部分２４１（図１参照）との間に所定の隙間Ｇを確保した状態で取り付けられている。従って、風路部分１０１に取り付けられている循環ファンＣＦ及び換気ファンＶＦが回転すると、カバー部分１０２と天井部分２４１との隙間Ｇから空気が吸い込まれる。従って、この隙間Ｇは、換気ファンＣＦによって吸引される空気の吸い込み口である内気吸引口としても、循環ファンＶＦによって吸引される空気の吸い込み口である内気吸引口としても機能している。
【００９７】
カバー部分１０２の、第３風路部分１０１ｃに対応する部分には、開口部１０２ａが形成されている。この開口部１０２ａには、可動ルーバー５０１が設けられている。可動ルーバー５０１の近傍には、ミストノズル７２が設けられている。ミストノズル７２は、可動ルーバー５０１よりも洗い場側に取り付けられている。従って、ミストノズル７２から噴出される涼水ミストＣＭは、循環ファンＣＦによって形成され可動ルーバー５０１から噴出される循環気流ＣＣの上から噴出される。そのため、涼水ミストＣＭは循環気流ＣＣによって洗い場床面に向けて搬送される。
【００９８】
引き続いて、浴室空調機本体１０を浴室ユニットＢＲに設置し、露天風呂モードで制御した場合について図９及び図１０を参照しながら説明する。図９に示す例は、図２を参照しながら説明した涼感運転モード制御に関するものである。図１０に示す例は、図３を参照しながら説明した涼感運転モード制御に関するものである。
【００９９】
図９に示す例では、ミストノズル７２から涼水ミストＣＭを噴出すると共に、換気ファンＣＦを回転させて循環気流ＣＣを形成している。循環気流ＣＣの吹き出し口である開口部１０２ａに設けられている可動ルーバー５０１は洗い場側に向けられているので、循環気流ＣＣ（下降循環気流ＣＣｄ）は洗い場側に向けて噴出されている。一方、ミストノズル７２は開口部１０２ａよりも洗い場側に設けられており、ミストノズル７２から下方に向けて涼水ミストＣＭが噴出されている。従って、涼水ミストＣＭは循環気流ＣＣ（下降循環気流ＣＣｄ）内に噴出されており、循環気流ＣＣ（下降循環気流ＣＣｄ）は涼水ミストＣＭを乗せて搬送しながら洗い場の床面に向かっている。
【０１００】
涼水ミストＣＭを搬送した循環気流ＣＣ（下降循環気流ＣＣｄ）は、洗い場の床面に沿って方向を変えて浴槽ＢＴ側に向かう。浴槽ＢＴ側に向かった循環気流ＣＣは、内気吸引口としての隙間Ｇに向けて浴槽ＢＴの上端をかすめるように上昇する。この循環気流ＣＣ（上昇循環気流ＣＣｕ）は、入浴者Ｈに接触して涼水ミストＣＭを供給すると共に入浴者Ｈから気化熱を奪う。従って、入浴者Ｈは、涼水ミストＣＭを頭上から浴びのではなく、横もしくは下方から吹いてくるそよ風のような循環気流ＣＣ（上昇循環気流ＣＣｕ）に乗った涼水ミストＣＭに接触するので、一層露天風呂に近い雰囲気での心地良さを体感できる。
【０１０１】
図９に示す例では、換気ファンＶＦも回転している。換気ファンＶＦの回転に伴って浴室空間外から吸引される空気の取り込み口である外気吸引口としてのガラリ２３２は洗い場側の下方に設けられているので、換気ファンＶＦの回転によって形成される換気気流ＶＣはガラリ２３２から隙間Ｇに向かう。浴室空調機本体１０の隙間Ｇは浴槽ＢＴの上方に設けられており、ガラリ２３２は洗い場の下方に設けられているので、ガラリ２３２から隙間Ｇに向かう換気気流ＶＣは上昇循環気流ＣＣｕと並行して形成される。従って、換気気流ＶＣも上昇循環気流ＣＣｕと共に入浴者Ｈの横もしくは下方から当たるので、入浴者Ｈからより効果的に気化熱を奪うことができる。
【０１０２】
図１０に示す例は、図９に示す例よりもより強い涼感刺激を入浴者Ｈに与える場合の例である。図１０に示す例では、循環気流ＣＣの吹き出し口である開口部１０２ａに設けられている可動ルーバー５０１は浴槽ＢＴ側に向けられているので、循環気流ＣＣは浴槽ＢＴ側に向けて噴出されている。また、ミストノズル７２からは下方に向けて涼水ミストＣＭが噴出されている。従って、循環気流ＣＣは入浴者Ｈに直接吹き付けられると共に、涼水ミストＣＭも浮遊距離が短くなり入浴者Ｈに直接吹き付けられる。
【０１０３】
引き続いて、浴室空調装置ＭＳを用いた涼感運転モード制御について説明する。涼感運転モード制御は、浴室空間内の温度及び湿度の状態に基づいて、涼水ミストの噴出量、循環気流における循環風量、及び換気気流における換気風量ぞれぞれの量特性（噴出量、循環風量、および換気風量の配分値）を変更して入浴者から奪う気化熱を変更するように構成されている。より具体的には、浴室空間内の温度及び湿度に対応させた複数の領域を有し、複数の領域それぞれにおいて涼水ミストの噴出量、循環気流における循環風量、及び換気気流における換気風量が予め定められている制御マップを備え、制御マップに基づいて浴室空間内の温度及び湿度に対応した一の領域における涼水ミストの噴出量、循環気流における循環風量、及び換気気流における換気風量を特定し、この特定結果に基づいて、ミスト噴出手段、循環送風手段、及び換気手段をそれぞれ制御するものである。制御マップの例を図１１に示す。
【０１０４】
図１１に示す制御マップは、横軸に温度軸を、縦軸に湿度軸をそれぞれとっており、６つの領域（Ｌ１，Ｌ２，Ｍ１，Ｍ２，Ｈ１，Ｈ２）を有するものである。６つの領域は、温度軸方向に３つのゾーン（低温ゾーン、中温ゾーン、高温ゾーン）、湿度軸方向に２つのゾーン（低湿度ゾーン、高湿度ゾーン）を区切ることで形成されている。尚、本実施形態の場合は、浴室内外の温度及び湿度を測定しているので、浴室内外の温度及び湿度の平均値によって当てはまる領域を特定している。
【０１０５】
領域Ｌ１は、低温・低湿度領域である。領域Ｌ１は、冬場の通常の入浴状態を想定している。領域Ｌ１においては、涼水ミストの噴出量は０であり、循環風量は小であり、換気風量は０である。また、循環風の噴出方向は洗い場方向である。涼水ミストの噴出量を０としているのは、低温であるため涼水ミストを噴出せずとも涼感を与えることができると想定できるからである。換気風量を０としているのは、涼水ミストを噴出しないため湿度の上昇が見込めないためである。循環風量を小としているのは、低温であるため少しの涼感を与えれば十分であると想定されるためである。
【０１０６】
領域Ｌ２は、低温・高湿度領域である。領域Ｌ２は、冬場で長風呂やシャワーを長く浴びていることを想定している。領域Ｌ２においては、涼水ミストの噴出量は０であり、循環風量は中であり、換気風量は０である。また、循環風の噴出方向は洗い場方向である。涼水ミストの噴出量を０としているのは、低温であるため涼水ミストを噴出せずとも涼感を与えることができると想定できるからである。換気風量を０としているのは、涼水ミストを噴出しないため湿度の上昇が見込めないためである。循環風量を中としているのは、低温であるが高湿度であるため、領域Ｌ１よりは強い涼感を与える必要があると想定されるためである。
【０１０７】
領域Ｍ１は、中温・低湿度領域である。領域Ｍ１は、標準的な温度帯域の季節であまり長く入浴していない状態を想定している。領域Ｍ１においては、涼水ミストの噴出量は小であり、循環風量は小であり、換気風量は中である。また、循環風の噴出方向は洗い場方向であり、涼水ミストの噴出方向も洗い場方向である。涼水ミストの噴出量を小としているのは、低温ではないため涼水ミストによって涼感を与える必要があるからである。循環風量を小としているのは、涼水ミストの噴出量が小であるので涼水ミストを循環させるという観点からはさほどの噴出量が必要ではなく、換気風量も確保されているので循環風量のみで気化熱を奪う必要がないためである。換気風量を中としているのは、涼水ミストを噴出しているため湿度の上昇がある程度見込めることと、入浴者から気化熱を奪って涼感刺激を与える必要があるためである。
【０１０８】
領域Ｍ２は、中温・高湿度領域である。領域Ｍ２は、標準的な温度帯域の季節で比較的長く入浴している状態を想定している。領域Ｍ２においては、涼水ミストの噴出量は中であり、循環風量は中であり、換気風量は大である。また、循環風の噴出方向は洗い場方向であり、涼水ミストの噴出方向も洗い場方向である。涼水ミストの噴出量を中としているのは、涼水ミストによって涼感を比較的強く与える必要があるからである。循環風量を中としているのは、涼水ミストの噴出量が中であるので涼水ミストを循環させるという観点から対応する程度の風量が必要であるためである。換気風量を大としているのは、涼水ミストを噴出しているため湿度の上昇がある程度見込めることと、入浴者から気化熱を奪って涼感刺激を与える必要があるためである。
【０１０９】
領域Ｈ１は、高温・低湿度領域である。領域Ｈ１は、夏場であまり長く入浴していない状態を想定している。領域Ｈ１においては、涼水ミストの噴出量は中であり、循環風量は中であり、換気風量は大である。また、循環風の噴出方向は洗い場方向であり、涼水ミストの噴出方向も洗い場方向である。涼水ミストの噴出量を中としているのは、涼水ミストによって涼感を比較的強く与える必要があるからである。循環風量を中としているのは、涼水ミストの噴出量が中であるので涼水ミストを循環させるという観点から対応する程度の風量が必要であるためである。換気風量を大としているのは、涼水ミストを噴出しているため湿度の上昇がある程度見込めることと、入浴者から気化熱を奪って涼感刺激を与える必要があるためである。
【０１１０】
領域Ｈ２は、高温・高湿度領域である。領域Ｈ２は、夏場で長く入浴している状態を想定している。領域Ｈ２においては、涼水ミストの噴出量は大であり、循環風量は大であり、換気風量は大である。また、循環風の噴出方向は浴槽方向であり、涼水ミストの噴出方向も浴槽方向である。涼水ミストの噴出量を大としているのは、涼水ミストによって涼感を非常に強く与える必要があるからである。循環風量を大としているのは、涼水ミストの噴出量が大であるので涼水ミストを循環させるという観点から対応する程度の風量が必要であるのと、入浴者に最大風量で風を当てる必要があるためである。換気風量を大としているのは、高湿度である上に涼水ミストを噴出しているため湿度の上昇を極力抑制したいためと、入浴者に最大風量で風を当てる必要があるためである。
【０１１１】
引き続いて、図１１に示す制御マップを利用した涼感運転モード制御（露天風呂モード制御）について図１２に示すフローチャートを参照しながら説明する。図１２に示すフローチャートは、図４を参照しながら説明したＣＰＵ４０によって実行される制御処理を説明するフローチャートである。
【０１１２】
制御開始フラグＦが立っているか（値が１となっているか）判断する（ステップＳ０１）。制御開始フラグＦが立っていれば（涼感運転モード制御が開始されていれば）、後述するステップＳ１８の処理に進む。制御開始フラグＦが立っていなければ（涼感運転モード制御が開始されていなければ）、ステップＳ０２の処理に進む。
【０１１３】
露天風呂モード（涼感運転モード）を開始する操作がなされ、露天風呂モードが「ＯＮ」になっているか判断する（ステップＳ０２）。露天風呂モードが「ＯＮ」になっていなければ、リターンする。露天風呂モードが「ＯＮ」になっていれば、ステップＳ０３の処理に進む。
【０１１４】
浴室内外の温度及び湿度を測定し、その測定値を取得する（ステップＳ０３）。具体的には、浴室温度センサー４４、洗面所温度センサー４５、浴室湿度センサー４６、洗面所湿度センサー４７（以上、図４参照）が測定した各測定値を取得して、洗面所内外の温度及び湿度の測定値を得る。続いて、ステップＳ０４の処理に進む。
【０１１５】
ステップＳ０３で取得した測定値に基づいて、浴室内温度が低温帯域に入っているか判断する（ステップＳ０４）。低温帯域とは、図１１における領域Ｌ１及び領域Ｌ２に対応する温度帯域である。浴室内温度が低温帯域に入っていなければ後述するステップＳ０８の処理に進む。浴室内温度が低温帯域に入っていればステップＳ０５の処理に進む。
【０１１６】
ステップＳ０３で取得した測定値に基づいて、浴室内湿度が所定値以上となって高湿度帯域に入っているか判断する（ステップＳ０５）。高湿度帯域とは、図１１における領域Ｌ２、領域Ｍ２、及び領域Ｈ２に対応する湿度帯域である。高湿度帯域に入っていなければ後述するステップＳ０７の処理に進む。高湿度帯域に入っていればステップＳ０６の処理に進む。
【０１１７】
ステップＳ０５の判断の結果、浴室内湿度が高湿度帯域に入っていれば、図１１に示した制御マップにおける領域Ｌ２に対応する設定値で、涼水ミストの噴出量、循環気流の風量、換気気流の風量を制御する（ステップＳ０６）。続いて、ステップＳ１７の処理に進む。
【０１１８】
ステップＳ０５の判断の結果、浴室内湿度が低湿度帯域に入っていれば、図１１に示した制御マップにおける領域Ｌ１に対応する設定値で、涼水ミストの噴出量、循環気流の風量、換気気流の風量を制御する（ステップＳ０７）。続いて、ステップＳ１７の処理に進む。
【０１１９】
ステップＳ０４の判断の結果、浴室内温度が低温帯域に入っていない場合、浴室内外の温度差から、換気ファンＶＦ（図２等参照）を回転させて換気を行った場合の浴室内の安定時の温度を推定する（ステップＳ０８）。続いて、ステップＳ０９の処理に進む。
【０１２０】
浴室内外の湿度差から、換気ファンＶＦ（図２等参照）を回転させて換気を行った場合の浴室内の安定時の湿度を推定する（ステップＳ０９）。続いて、ステップＳ１０の処理に進む。
【０１２１】
ステップＳ０９の推定の結果、換気ファンＶＦ（図２等参照）を回転させて換気を行った場合の浴室内の安定時の湿度が高湿度帯域に入るか判断する（ステップＳ１０）。高湿度帯域とは、図１１における領域Ｌ２、領域Ｍ２、及び領域Ｈ２に対応する湿度帯域である。高湿度帯域に入っていなければ後述するステップＳ１４の処理に進む。高湿度帯域に入っていればステップＳ１１の処理に進む。
【０１２２】
ステップＳ０８の推定の結果、換気ファンＶＦ（図２等参照）を回転させて換気を行った場合の浴室内の安定時の湿度が高温帯域に入るか判断する（ステップＳ１１）。高温帯域とは、図１１における領域Ｈ１及び領域Ｈ２に対応する温度帯域である。浴室内温度が高温帯域に入っていなければ後述するステップＳ１３の処理に進む。浴室内温度が高温帯域に入っていればステップＳ１２の処理に進む。
【０１２３】
ステップＳ１１の判断の結果、浴室内湿度が高温度帯域に入っていなければ、図１１に示した制御マップにおける領域Ｍ２に対応する設定値で、涼水ミストの噴出量、循環気流の風量、換気気流の風量を制御する（ステップＳ１２）。続いて、ステップＳ１７の処理に進む。
【０１２４】
ステップＳ１１の判断の結果、浴室内湿度が高温度帯域に入っていれば、図１１に示した制御マップにおける領域Ｈ２に対応する設定値で、涼水ミストの噴出量、循環気流の風量、換気気流の風量を制御する（ステップＳ１３）。続いて、ステップＳ１７の処理に進む。
【０１２５】
ステップＳ０８の判断の結果、換気ファンＶＦ（図２等参照）を回転させて換気を行った場合の浴室内の安定時の湿度が高温帯域に入るか判断する（ステップＳ１４）。浴室内温度が高温帯域に入っていなければ後述するステップＳ１６の処理に進む。浴室内温度が高温帯域に入っていればステップＳ１５の処理に進む。
【０１２６】
ステップＳ１４の判断の結果、浴室内湿度が高温度帯域に入っていれば、図１１に示した制御マップにおける領域Ｈ１に対応する設定値で、涼水ミストの噴出量、循環気流の風量、換気気流の風量を制御する（ステップＳ１５）。続いて、ステップＳ１７の処理に進む。
【０１２７】
ステップＳ１４の判断の結果、浴室内湿度が高温度帯域に入っていなければ、図１１に示した制御マップにおける領域Ｍ１に対応する設定値で、涼水ミストの噴出量、循環気流の風量、換気気流の風量を制御する（ステップＳ１６）。続いて、ステップＳ１７の処理に進む。
【０１２８】
上述した、ステップＳ０６、ステップＳ０７、ステップＳ１２、ステップＳ１３、ステップＳ１５、ステップＳ１６の制御処理が実行されると、制御開始フラグＦを立てる（ステップＳ１７）。
【０１２９】
ステップＳ０１において、制御開始フラグＦが立っている場合、露天風呂モード制御の終了指示が入力されているか判断する（ステップＳ１８）。露天風呂モード制御の終了指示が入力されていない場合は、後述するステップＳ２１の処理に進む。露天風呂モード制御の終了指示が入力されている場合は、ステップＳ１９の処理に進む。
【０１３０】
ステップＳ１８の判断の結果、露天風呂モード制御の終了指示が入力されている場合は終了制御を行い、涼水ミストの噴出を停止し、循環ファンＣＦを停止し、換気ファンＶＦを停止する（ステップＳ１９）。続いて、ステップＳ２０の処理に進む。ステップＳ１９の制御処理が実行されると、制御開始フラグＦを０に戻す（ステップＳ２０）。
【０１３１】
ステップＳ１８の判断の結果、露天風呂モード制御の終了指示が入力されていない場合は、露天風呂モード制御の開始から５分が経過しているか判断する（ステップＳ２１）。露天風呂モード制御の開始から５分が経過していれば、後述するステップＳ２５の処理に進む。露天風呂モード制御の開始から５分が経過していなければ、ステップＳ２２の処理に進む。尚、このステップＳ２１以降の処理は、クールダウン付き露天風呂モード制御（図５参照）の場合に行われる。
【０１３２】
ステップＳ２１の判断の結果、露天風呂モード制御の開始から５分が経過していなければ、可動ルーバー５０１を浴槽から洗い場にかけてスイングさせる（ステップＳ２２）。尚、図１１に示した領域Ｈ２での制御を行っている場合は、可動ルーバー５０１を浴槽に向けて固定する。続いて、ステップＳ２３の処理に進む。
【０１３３】
涼水ミストは連続的に噴出を行う（ステップＳ２３）。涼水ミストの噴出に合わせて、循環ファンＣＦ及び換気ファンＶＦを連続回転させる（ステップＳ２４）。
【０１３４】
ステップＳ２１の判断の結果、露天風呂モード制御の開始から５分が経過していれば、可動ルーバー５０１を洗い場側に向けて固定する（ステップＳ２２）。続いて、ステップＳ２６の処理に進む。
【０１３５】
涼水ミストは間欠的にゆらぎ噴出を行う（ステップＳ２６）。涼水ミストのゆらぎ噴出に合わせて、循環ファンＣＦ及び換気ファンＶＦをゆらぎ回転させる（ステップＳ２７）。
【０１３６】
続いて、循環ファンＣＦ及び換気ファンＶＦの回転数を制御する一例について図１３及び図１４を参照しながら説明する。図１３は、換気ファンＶＦの回転補正量を示した図であり、図１４は、循環ファンＣＦの回転補正量を示した図である。
【０１３７】
図１３及び図１４に示すように、露天風呂モード制御の開始（ｔ１）から５分後（ｔ２）までは、回転補正量を２とし、換気ファンＶＦ及び循環ファンＣＦそれぞれの回転数を通常運転の２倍の回転数とする。これによって、入浴者に強い風を当てて、強い涼感刺激を与えることができる。
【０１３８】
露天風呂ボード制御の開始から５分後（ｔ２）には、回転補正量を１とし、換気ファンＶＦ及び循環ファンＣＦそれぞれの回転数を通常運転に戻す。また、更に数分が経過した後（ｔ３）、換気ファンＶＦの回転数を徐々に上昇させて、回転補正量を１．５程度とする。一方、循環ファンＣＦの回転数は徐々に低下させて、回転補正量を０．３程度とする。これによって、時刻ｔ４から後は、換気ファンＶＦを主とし、循環ファンＣＦを従とする運転を行う。
【０１３９】
続いて、涼水ミストの粒径制御について図１５に示すフローチャートを参照しながら説明する。図１５に示すフローチャートは、図４を参照しながら説明したＣＰＵ４０によって実行される制御処理を説明するフローチャートである。
【０１４０】
浴室操作リモコン４３（図４及び図５参照）の涼水ミストボタン４３ｂｇ（図４及び図５参照）が操作されたか判断する（ステップＳ３１）。涼水ミストボタン４３ｂｇが操作されていれば、ステップＳ３２の処理を行い、涼水ミストボタン４３ｂｇが操作されていなければ、ステップＳ３３の処理を行う。
【０１４１】
ステップＳ３１の判断の結果、涼水ミストボタン４３ｂｇが操作されていれば、涼水ミストの粒径が３０μｍとなるように制御する（ステップＳ３２）。
【０１４２】
ステップＳ３１の判断の結果、涼水ミストボタン４３ｂｇが操作されていなければ、露天風呂モード制御が行われているか判断する（ステップＳ３３）。露天風呂モード制御が行われていなければ処理を終了し、行われていればステップＳ３４の処理を行う。
【０１４３】
ステップＳ３３の判断の結果、露天風呂モード制御が行われていれば、領域Ｈ２（図１１）の制御を行っているか判断する（ステップＳ３４）。領域Ｈ２の制御を行っていれば、ステップＳ３８の処理に進み、領域Ｈ２の制御を行っていなければ、ステップＳ３５の処理に進む。
【０１４４】
ステップＳ３４の判断の結果、領域Ｈ２の制御を行っていなければ、露天風呂モード制御の開始から５分以内か判断する（ステップＳ３５）。露天風呂モード制御の開始から５分以内でなければ、涼水ミストの粒径が３μｍとなるように制御する（ステップＳ３６）。一方、露天風呂モード制御の開始から５分以内であれば、涼水ミストの粒径が５μｍとなるように制御する（ステップＳ３６）。ステップＳ３４の判断の結果、領域Ｈ２の制御を行っていれば、涼水ミストの粒径が１０μｍとなるように制御する（ステップＳ３８）。
【０１４５】
引き続いて、浴室空調機本体に除湿機を設ける例について図１６を参照しながら説明する。図１６は、除湿機としての回転除湿ロータＲを設けた浴室空調機本体８０を示した図である。
【０１４６】
浴室空調機本体８０は、風路部分８０１とカバー部分（図に明示しない）とを備えている。風路部分８０１は、第１風路部分８０１ａ、第２風路部分８０１ｂ、第３風路部分８０１ｃが繋がっている。第１風路部分８０１ａ、第２風路部分８０１ｂ、及び第３風路部分８０１ｃは、互いに９０度の角度を成すように繋がっている。従って、第１風路部分８０１ａから吸い込まれる空気の方向と、第３風路部分８０１ｃから吹き出す空気の方向は互いに１８０度の角度を成している。
【０１４７】
第３風路部分１０１ｃの終端部分には、暖房ヒータ６０，６１，６２が取り付けられている。暖房ヒータ６０，６１，６２は、浴室空調装置ＭＳのＣＰＵ４０からの指示信号に基づいて開閉するスイッチ６０１，６１１，６２１によって通電状態が制御される（図４参照）。
【０１４８】
風路部分８０１は、換気風路８０１ｄと再生風路８０１ｅとを備えている。換気風路８０１ｄは、第２風路部分８０１ｂと並行して設けられており、互いの端部が接続されている。換気風路８０１ｄと第２風路部分８０１ｂとの間にはダンパ８０２が設けられていて、ダンパ８０２を開くと、第２風路部分８０１ｂから空気が流れ込むように構成されている。換気風路８０１ｄは、図示しない排気ダクトに繋がっている。
【０１４９】
再生風路８０１ｅは、第１風路部分８０１ａと並行して設けられている。再生風路８０１ｅは、浴室空間から吸い込んだ空気を図示しない排気ダクトに送り出すように構成されている。
【０１５０】
第１風路部分１０１ａと第２風路部分１０１ｂとが繋がる部分の近傍には、循環ファンＣＦが設けられている。循環ファンＣＦは、浴室空調装置ＭＳのＣＰＵ４０からの指示信号に基づいて回転する循環ファン駆動モータ５３によって駆動される（図４参照）。
【０１５１】
再生風路８０１ｅには、再生ファンＲＦが設けられている。再生ファンＲＦは、浴室空調装置ＭＳのＣＰＵ４０からの指示信号に基づいて回転する再生ファン駆動モータ（図示しない）によって駆動される。
【０１５２】
第１風路部分８０１ａと再生風路８０１ｅの浴室空間側の端部近傍には、回転除湿ロータＲが設けられている。回転除湿ロータＲは、第１風路部分８０１ａと再生風路８０１ｅとの間の軸を中心に回転するように構成されている。回転除湿ロータＲはデシカントロータとも呼ばれる水分吸着手段であって、通過する空気中の水分を吸い取るように構成されていて、その水分を吸い取った部分に暖かい空気を通過させると吸い取った水分が除かれて再生するように構成されている。
【０１５３】
再生風路８０１ｅの回転除湿ロータＲよりも浴室空間側には再生ヒータ８０３が設けられている。再生ファンＲＦは、回転除湿ロータＲよりも排気ダクト側に設けられている。
【０１５４】
浴室空間内を除湿する場合には、ダンパ８０２を閉じて、循環ファンＣＦを回転させる。このように循環ファンＣＦを回転させると、第１風路部分８０１ａ内を浴室空間内の空気が通過するので、回転除湿ロータＲを浴室空間内の空気が通過する。従って、浴室空間内の空気は回転除湿ロータＲによって除湿され、第２風路部分８０１ｂから第３風路部分８０１へと送り出され浴室空間内に噴出される。
【０１５５】
浴室空間内の除湿運転を行っている間、回転除湿ロータＲは回転する。また、再生ヒータ８０３には通電されると共に、再生ファンＲＦも回転する。従って、回転除湿ロータＲは、再生風路８０１ｅにおいて水分を取り除かれて再生され、第１風路部分８０１ａ内を通過する浴室空間内の空気の除湿を継続できる。
上述した本実施形態は、浴室ユニットＢＲ内という閉空間に中にあって極めて快適な露天風呂のような感覚で入浴ができるように浴室ユニットＢＲ内を心地の良い涼感環境にすることが目的であるが、単に浴室ユニットＢＲ内に風を送るだけでは浴室ユニットＢＲ内の温度が高いこともあって野外の風と違って心地良いと感じられるような風にならず、露天風呂のような雰囲気を作り出すことは難しかった。そこで、閉空間である浴室ユニットＢＲ内にあっても心地良い露天風呂のような雰囲気を作り出すために、送風する風の中に涼水ミストＣＭを混入させることでさわやかな冷たい風を作り出すと同時に、体に付着した涼水ミストＣＭが風によって更に気化し、その際に熱を奪うため屋外と同じような心地良い涼感を与えることができるように工夫したものである。
【０１５６】
浴室ユニットＢＲ内に涼水ミストＣＭの噴出を行いつつ気流を発生させるので、浴槽ＢＴ側で入浴中の入浴者Ｈに涼水ミストＣＭを供給するのと合わせて風を当てることによって、入浴者Ｈの体表面から気化熱で熱を速やかに奪うことができる。従って、閉空間である浴室ユニットＢＲ内にあって、屋外の露天風呂のように、風が吹いた時に気化熱で体から熱が奪われて心地の良い涼感を得るのと同じような感覚を得ることができる。また、気化熱を利用して涼感を与える構成であるため、粒径が大きく明確に目に見えるような涼水ミストを噴出する必要がなく、涼水ミストを多く噴出する必要もないため、降雨の露天風呂のような感じではなく、極めて快適な露天風呂に近い良好な雰囲気の涼感環境を作り出すことができる。更に、人体がびしょ濡れになったという不快な感覚を覚えたり、浴槽ＢＴ内のお湯の温度を大きく低下させたりしてしまうことも回避できる。
【０１５７】
また、気化熱を奪うために必要な涼水ミストＣＭを浴室ユニットＢＲのような閉空間で噴出し続けると開放空間ではないために涼水ミストＣＭが蓄積されて湿度が除々に高くなっていき、結果として水分の蒸発が起こり難くなって気化熱による涼感効果が低下してしまうという新たな解決すべき課題がありことも発見した。また、浴室ユニットＢＲのような温度が高い状態では、湿度が高まっていくと湿度の上昇に伴って蒸し暑さすら感じるような不快感を与える状況になるという新たな解決すべき課題も発見した。しかしながら、本実施形態においては涼感運転モードの期間中に渡って気化熱が発生するように浴室空調装置ＭＳを制御するので、入浴者Ｈに開放空間である露天風呂のような心地良さの涼感を継続的に与え続けることができる。具体的に言えば本実施形態では、気流発生手段（循環ファン駆動モータ５３、循環ファンＣＦ、換気ファン駆動モータ５５、換気ファンＶＦ）や必要に応じて他の手段（例えば、除湿機）を用いることで、涼水ミストＣＭの噴出による湿度上昇を抑制するように構成されているので、涼感運転モードの期間中に渡って水分の蒸発が起こり難くなる状況を回避して最適な量の気化熱を継続的に確実に奪い、入浴者Ｈに開放空間である露天風呂のような心地良さの涼感を継続的に与え続けることができる。
【０１５８】
また本実施形態では、涼感運転モード時の気流発生手段として浴室空間の換気を行う構成（換気ファン駆動モータ５５、換気ファンＶＦ）としているため、換気を行うことで浴室ユニットＢＲ内に気化熱を奪うための気流を発生できるとともに、それと同時に換気を行っているため浴室ユニットＢＲの湿度上昇をも抑制できることから一石二鳥の効果を得ることができ、構成を極めてシンプルなものとできる。また、浴室空調装置ＭＳとして換気を行う手段は一般的に装備されているため、本実施形態における涼感運転モードを実行する上で欠かすことができない、気流発生手段（換気ファン駆動モータ５５、換気ファンＶＦ）や、湿度の上昇を抑制する手段（例えば、除湿機）を別途設ける必要がないという効果も奏することができる。
【０１５９】
また、連続的に浴室ユニットＢＲの換気を行うようして気流を発生させると、入浴者Ｈは涼感刺激を連続的に与えられることになり、その涼感刺激に入浴者Ｈが慣れてしまう場合がある。入浴者Ｈが涼感刺激に慣れてしまうと、より強い涼感刺激を求めるようになってしまい、結果的に入浴者Ｈを満足しうる涼感刺激を与えるためには多くの涼水ミストＣＭを噴出させる必要が生じたり、気流を強く発生させる必要が生じる。結果として、そのような制御を行うことで露天風呂のような心地良い感覚をスポイルさせてしまうだけでなく、入浴者Ｈを濡らす程度ではない小さな粒径の涼水ミストＣＭを多めに噴出させるため、浴室のような小さな閉空間では湿度がすぐに上昇して蒸し暑さを与えてしまうという問題が生じる。本実施形態では、気流発生手段（換気ファン駆動モータ５５、換気ファンＶＦ）による単位時間当たりにおける浴室ユニットＢＲの換気量を変動させているため、入浴者Ｈが涼感刺激に慣れることを防止でき、これによって少ない涼水ミストＣＭの量、気流の量によって心地の良い快適な涼感刺激を長時間に渡って与え続けることが可能となっている。また、気化熱による涼感を入浴者Ｈに効果的に与えるためには、入浴者Ｈが涼水ミストＣＭで濡れてその後に風に当たることが好ましい。本実施形態では、換気量を変動させて入浴者Ｈに当たる風を抑える期間を設けているため、入浴者Ｈが少ない涼水ミストＣＭによっても必要十分なだけ濡れる時間を確保できるため、確実に適切量の涼感刺激を与えることができるという効果も合わせて提供することができる。
【０１６０】
また、本実施形態では、気流発生手段（換気ファン駆動モータ５５、換気ファンＶＦ）による単位時間当たりにおける換気量を変動させると共に、その換気量を涼水ミストＣＭの累積噴出時間が短い時よりも長い時の方が多くなるように構成している。涼水ミストＣＭの累積噴出時間が短い時は、浴室ユニットＢＲ内の湿度上昇があまり見込まれないので、換気量を比較的少なくすることで涼水ミストＣＭの浮遊量を適切な状態に確保して、入浴者Ｈから最適に気化熱が奪えるように構成しているとともに、過剰な気化熱を奪うことがないようにしている。すなわち、換気量を多くすると湿度の排出量の増大とともに気流が強く発生するが、湿度が上昇していない状態で多くの気流を発生させると気化熱が多く奪われるため強い涼感刺激に伴う不快感を入浴者Ｈに与えたり、強い涼感刺激の慣れに伴ってその後更に強い涼感刺激を与えないと満足しなくなるため多くの涼水ミストＣＭを噴出させなくてはいけなくなったりといった問題が発生しないように構成している。一方、涼水ミストＣＭの累積噴出時間が長い時は、浴室ユニットＢＲ内の湿度上昇が相当程度に見込まれ、最適量の気化熱を奪うことが困難になるが、換気量を多くして涼水ミストＣＭの過剰な浮遊による湿度上昇を抑制しているため、入浴者Ｈから最適な気化熱を継続して確実に奪うことができるようにしている。従って、涼水ミストＣＭを噴出し続けても、入浴者Ｈから最適に気化熱を長い時間に渡って奪い続けることができるようにしている。
【０１６１】
また本実施形態では、気流発生手段として換気ファンＶＦと循環ファンＣＦとを独立して備えているので、換気気流ＶＣと循環気流ＣＣとを独立して発生させることができる。従って、涼水ミスト噴出手段（ポンプ駆動モータ５４、ミストポンプ５４１、メインバルブ５６、ミストバルブ５７、ミストノズル７２）が噴出した涼水ミストＣＭを循環ファンＣＦが発生する循環気流ＣＣに乗せて下方に送り出すことができるため、換気ファンＶＦが発生する換気気流ＶＣに涼水ミストＣＭが引き込まれて排気されることを抑制でき、涼水ミストＣＭの噴出量を少なくすることができる。また、換気ファンＶＦによって換気気流ＶＣを発生させているのみであると、涼水ミストＣＭを浴室ユニットＢＲ内に行き渡らせるためには必要以上に噴出量を増大させる必要があるが、循環気流ＣＣに乗せて涼水ミストＣＭを下方に送り出すことで、涼水ミストＣＭの噴出量を必要以上に増大させる必要がなくなり、涼水ミストＣＭの過剰噴射に伴う湿度の上昇や雰囲気の低下を緩和できる。また、確実に落下させるために涼水ミストＣＭの粒径を大きくするなどの対策を講じる必要がないことから、この点からも湿度の上昇や露天風呂のような心地良さをスポイルすることがない。また、ヒータ等が風路に組み込まれていないため騒音を小さくできる換気ファンＶＦと、噴き出し風であるため入浴者に向かう直接風とできる循環ファンＣＣとの二つのファンを用いて気流を発生させることができるので、最適な気流と騒音の抑制とを両立でき、快適な雰囲気をこの点からも作り出すことができる。
【０１６２】
また本実施形態では、涼感運転モードの開始に近い第１の時点においては、循環気流ＣＣを主たる気流とすることで涼水ミストＣＭの換気に伴う排出を抑制して浴室ユニットＢＲ内に確実に浮遊させて入浴者Ｈに触れさせて気化熱を確実に奪い涼感を与えることができる。また、浴室ユニットＢＲ内に空気を押込む循環ファンＣＦを用いて気流を主に作ることで入浴者Ｈに直接風を強めに与えることができ、よって涼感運転モードの開始初期は涼感を強く得たいと思っている入浴者Ｈの意向に沿った形で強めの涼感を確実に提供できる。一方、第１の時点より所定時間経過した第２の時点では涼水ミストＣＭの継続噴出に伴って浴室ユニットＢＲ内の湿度が上がって気化熱を奪うことが困難になると同時に、涼水ミストＣＭの粒径が小さくその噴出量も大量ではないため入浴者Ｈが涼感を感じるほどには濡れず蒸し暑さを与えるような状況になるが、第２の時点においては換気気流ＶＣを主たる気流とするように構成しているため浴室ユニットＢＲ内の過度な湿度上昇を抑制することができる。また、時間経過とともに入浴者Ｈの強い涼感要求も低下していることから、第２の時点においては循環気流ＣＣから換気気流ＶＣを主たる気流とすることで、吹き付ける気流である換気気流ＣＣによる風を入浴者Ｈに直接に強く当てることによる強い涼感刺激を緩和でき、浴室ユニットＢＲ内から空気を吸い出すことによって生じる気流である換気気流ＶＣによる優しい風を入浴者Ｈに柔らかく当てることで、心地の良い感じで気化熱を奪い続けることで適度な涼感を与え続けることができる。
【０１６３】
また、涼感運転モードの開始に近い第１の時点は、涼みたいという要求が入浴者Ｈに生じた時であるので、循環気流ＣＣと換気気流ＶＣとの総量を多くすることで入浴者Ｈにより多くの風を当てて、入浴者Ｈからより多くの気化熱を奪うことでその要求に応えることができる。第１の時点より所定時間経過した第２の時点は、上述したような入浴者Ｈの要求も少しは収まってきたと考えられるので、気流の総流量を低下させて騒音の低下を図るとともに、涼感刺激を若干緩和させている。また、換気気流ＶＣの流量を多めに低下させることで、直接の送風で強めの涼感を与えることができる循環気流ＣＣの流量を高めに維持しているので、気流を低下させても強めの涼感を確保できるので涼感不足を入浴者に与えることはない。その後の第３の時点では、更に入浴者Ｈの涼感要求は低下したと考えられることに加え、涼水ミストＣＭの継続噴射に伴って浴室ユニットＢＲ内の湿度が上昇してくるので、換気に伴う気流が支配的になるように制御されている。これによって、循環ファンＣＦによる直接入浴者Ｈに当てるような吹き下ろしの風から、吸出しによる優しい気流の風によって涼感を与えるようになるため、騒音が低く、また入浴者Ｈの涼感要求にも沿った露天風呂のような心地の良い雰囲気と涼感を入浴者Ｈに与えることができる。さらに、換気によって上昇した浴室ユニットＢＲ内の湿度を低下させることができ、入浴者Ｈから更に継続的に気化熱を奪って涼感刺激を与え続けることができる。
【０１６４】
また本実施形態では、浴室ユニットＢＲを除湿するための除湿装置（回転除湿ロータＲ、再生ヒータ８０３、再生ファンＲＦ）を備え、その除湿装置を利用して浴室ユニットＢＲの湿度上昇を抑制しているので、除湿装置の性能に応じた的確な湿度上昇制御を行うことができるとともに、気流の発生と湿度上昇の抑制を分離して独立的に制御できるため一層最適に気化熱を奪う制御と心地良さの両立を高い次元で満足させることができ、また、換気を用いた場合では外気の状態に左右されるが、除湿装置を用いることで外気の湿度状態に関わりなく確実に浴室内の湿度を最適な状態にすることが可能となる。
【０１６５】
また本実施形態では、涼感運転モード以外の第２の涼水ミスト噴出モードにおける涼水ミストＣＭの粒径を大きくすることができるので、涼感運転モードの際、明確には目に見えないぐらいの小さな粒径で涼水ミストＣＭを噴出させることで雨の露天風呂ではなく晴天時の露天風呂のような感覚でありながら気化熱によって心地良い涼感を確実に与えることができる。一方入浴者Ｈが晴天時の露天風呂のような爽やかな涼感ではなく、湯上り時等に若干水を浴びるような感覚で強めにクールダウンをしたいと思っているような場合は、明確には目に見えない粒径の涼水ミストＣＭでは視覚的にも体感的にも涼感を得難いが、大きめの粒径の涼水ミストＣＭを噴出可能な第２の涼水ミスト噴出モードを備えているので、入浴者Ｈの要求に合った強い涼感を提供することができる。
【図面の簡単な説明】
【０１６６】
【図１】本実施形態である浴室空調装置を構成する浴室空調機本体を浴室ユニットに取り付けた一例を説明するための図である。
【図２】本実施形態である浴室空調装置によって実現可能な涼感運転モード制御を説明するための図である。
【図３】本実施形態である浴室空調装置によって実現可能な涼感運転モード制御を説明するための図である。
【図４】本実施形態である浴室空調装置のブロック構成図である。
【図５】本実施形態である浴室空調装置の浴室内リモコンの操作パネルを示す図である。
【図６】浴室内リモコンの詳細設定パネルの一例を示す図である。
【図７】本実施形態である浴室空調装置の配管図である。
【図８】本実施形態である浴室空調装置の浴室空調機本体構造図である。
【図９】図８に示す浴室空調機本体を用いた場合の空気循環を示す図である。
【図１０】図８に示す浴室空調機本体を用いた場合の空気循環を示す図である。
【図１１】本実施形態である浴室空調装置の制御マップを示す図である。
【図１２】本実施形態である浴室空調装置の制御フローチャートである。
【図１３】換気ファンの回転補正量の変遷を説明するための図である。
【図１４】循環ファンの回転補正量の変遷を説明するための図である。
【図１５】本実施形態である浴室空調装置の制御フローチャートである。
【図１６】本実施形態である浴室空調装置の変形例を示す図である。
【符号の説明】
【０１６７】
ＢＲ…浴室ユニット、ＢＴ…浴槽、１０…浴室空調機本体、２０…床部材、２１，２２，２３…壁部材、２４…天井部材、ＭＳ…浴室空調装置、４０…ＣＰＵ４０、４１…記憶部、４２…洗面所操作リモコン、４３…浴室操作リモコン、４４…浴室温度センサー、４５…洗面所温度センサー、４６…浴室湿度センサー、４７…洗面所湿度センサー、５０…可動ルーバー用モータ、５０１…可動ルーバー、５３…循環ファン駆動モータ、ＣＦ…循環ファン、５４…ポンプ駆動モータ、５４１…ミストポンプ、５５…換気ファン駆動モータ、ＶＦ…換気ファン、５６…メインバルブ、５７…ミストバルブ、５９…排水バルブ、６０，６１，６２…暖房ヒータ、６０１，６０２，６０３…スイッチ、６３…ミストヒータ。
【図１】
2009030836.tif 000003
【図２】
2009030836.tif 000004
【図３】
2009030836.tif 000005
【図４】
2009030836.tif 000006
【図５】
2009030836.tif 000007
【図６】
2009030836.tif 000008
【図７】
2009030836.tif 000009
【図８】
2009030836.tif 000010
【図９】
2009030836.tif 000011
【図１０】
2009030836.tif 000012
【図１１】
2009030836.tif 000013
【図１２】
2009030836.tif 000014
【図１３】
2009030836.tif 000015
【図１４】
2009030836.tif 000016
【図１５】
2009030836.tif 000017
【図１６】
2009030836.tif 000018